(57)【要約】【課題】脱穀機のフィードチェンの回転速度の制御は、脱穀機から一定回転速度と、刈取機からの変速回転とで行われるが、脱穀機からの一定回転速度の低速で、フィードチェンが回転制御されたときには、脱穀機の脱穀性能が低下することがあった。このようなフィードチェンの伝動部の点検作業を容易にするものである。【解決手段】穀稈を刈取りする刈取機は、専用の刈取用油圧式無段変速装置で変速回転駆動し、穀稈を引継ぎ移送中に脱穀する脱穀機のフィードチェンは、脱穀機側から一定回転の伝動と、刈取機側から変速された変速回転の動力とが、フィードチェンケースへ入力され、速い方の入力回転で回転駆動され、フィードチェンケースは、脱穀機入口側の入口漏斗の下側へ設けた構成である。【選択図】図１
2004321049.tif 000002
【特許請求の範囲】
【請求項１】
走行車台２の下側に走行装置３と、走行車台２の前方部に穀稈を刈取り移送する刈取機４と、該刈取機４を変速回転駆動する刈取用油圧式無段変速装置９と、刈取機４から刈取り穀稈を引継ぎ挟持移送するフィードチェン１２ａと、穀稈を脱穀する脱穀機１１等とを設けたコンバインにおいて、前記脱穀機１１側から一定回転の動力と、刈取機４側から変速された変速回転の動力とが入力されるフィードチェンケース１３は、脱穀機１１の入口側の穀稈を案内する入口漏斗１１ａの下側へ設けると共に、フィードチェンケース１３へ入力される二系列の入力回転の速い方の入力回転でフィードチェン１２ａを回転駆動することを特徴とするコンバインの脱穀駆動装置。
【請求項２】
前記フィードチェン１２ａの回転速度は、走行装置３の走行車速が所定走行車速（Ｖ）以下では、一定の所定回転速度で回転駆動すると共に、所定走行車速（Ｖ）以上では、順次回転速度を高回転速度に変更制御する制御装置１５を設けたことを特徴とする請求項１に記載のコンバインの脱穀駆動装置。
【請求項３】
前記刈取機４は、専用の刈取用油圧式無段変速装置９で回転駆動すると共に、走行車速変速用の主変速レバー１４ａの操作位置により、フィードチェン１２ａの回転速度を変速すべく設けたことを特徴とする請求項１、又は請求項２に記載のコンバインの脱穀駆動装置。
【発明の詳細な説明】
【０００１】
【発明の属する技術分野】
この発明は、穀稈を刈取り移送する刈取機は、刈取用油圧式無段変速装置で変速回転駆動し、刈取穀稈を引継ぎ脱穀する脱穀機のフィードチェンは、脱穀機側から一定回転の伝動と、刈取機側から変速された変速回転の伝動とが、フィードチェンケースへ入力され、速い方の入力回転で回転駆動されると共に、フィードチェンケースは、脱穀機入口側の穀稈を案内する入口漏斗の下側へ設けた技術であり、コンバインの脱穀駆動装置として利用できる。
【０００２】
【従来の技術】
コンバインで立毛穀稈の収穫作業は、このコンバインを穀稈の植付圃場を、穀稈の倒伏状態、圃場の湿田状態、及び作業能率等により、所定の走行車速を選択して走行させ、走行車台の前方部に設けた刈取前処理部（刈取機・本発明の名称）は、穀稈を刈取る刈取装置と、脱穀装置の脱穀フィードチェンへ刈取り穀稈を移送する搬送装置とよりなる。エンジンから刈取前処理部へ伝動を行う第一伝動系と、脱穀装置へ伝動を行う第二伝動系とよりなる。脱穀フィードチェンを、車速同期用一方向クラッチを介して、第一伝動系へ連動連結すると共に、脱穀フィードチェンを、定速用一方向クラッチを介して、第二伝動系へ連結した構成である。
【０００３】
前記刈取前処理部は、走行車速に連動して回転駆動する。この刈取前処理部の刈取装置で刈取られた刈取り穀稈は、搬送装置で後方上部へ移送され、脱穀装置の脱穀フィードチェンは、走行車速に連動して、回転駆動される刈取前処理部の回転が、第一伝動系の車速同期用一方向クラッチを介して、回転駆動、又は脱穀装置の回転が、第二伝動系の定速用一方向クラッチを介して回転駆動される。この脱穀フィードチェンで引継ぎされ、脱穀装置内を挟持移送中に脱穀される。
【０００４】
前記脱穀フィードチェンの第一・第二伝動系、及び車速同期用一方向クラッチと、定速用一方向クラッチとの装着位置は、特に、特開平６−７０２０公報に記載の如く明解に表示されていない構成である。本発明では、装着位置を最適位置へ装着すべく規制して設けた構成である。
【０００５】
【特許文献１】
特開平６−７０２０公報
【０００６】
【発明が解決しようとする課題】
脱穀フィードチェンの回転速度は、走行車速に連動して、刈取前処理装置を介して、変速回転の制御と、脱穀機から一定回転速度の制御とで行われることにより、一定回転速の低速のときには、脱穀機の脱穀性能が低下することがあった。又、本発明により、メンテナンスの向上を図ろうとするものである。
【０００７】
【課題を解決するための手段】
このために、この発明は、請求項１に記載の発明においては、走行車台２の下側に走行装置３と、走行車台２の前方部に穀稈を刈取り移送する刈取機４と、該刈取機４を変速回転駆動する刈取用油圧式無段変速装置９と、刈取機４から刈取り穀稈を引継ぎ挟持移送するフィードチェン１２ａと、穀稈を脱穀する脱穀機１１等とを設けたコンバインにおいて、前記脱穀機１１側から一定回転の動力と、刈取機４側から変速された変速回転の動力とが入力されるフィードチェンケース１３は、脱穀機１１の入口側の穀稈を案内する入口漏斗１１ａの下側へ設けると共に、フィードチェンケース１３へ入力される二系列の入力回転の速い方の入力回転でフィードチェン１２ａを回転駆動することを特徴とするコンバインの脱穀駆動装置としたものである。
【０００８】
コンバインで立毛穀稈の収穫作業は、このコンバインを穀稈の植付圃場を、穀稈の倒伏状態、圃場の湿田状態、及び作業能率等により、所定の走行車速を選択すると、走行装置３は、走行用油圧式無段変速装置により、走行車速が変更制御されて、走行装置３が走行して、走行車台２の前方部に設けた刈取機４は、走行装置２の走行車速に連動して、刈取用油圧式無段変速装置９で所定回転に変更制御される。
【０００９】
前記刈取機４で穀稈は刈取りされ、この刈取り穀稈は、この刈取機４で後方上部へ移送される。脱穀機１１の入口側へ設けて、穀稈を脱穀機１０内へ案内する入口漏斗１１ａの下側には、脱穀機１０のフィードチェン１２ａを回転駆動する。フィードチェンケース１３を設け、このフィードチェンケース１３には、脱穀機１１側から一定回転の動力と、刈取機４側から変速された変速回転の動力との両者が入力され、これら二系列の入力回転の早い方の入力回転により、フィードチェン１２ａにより、刈取機４で後方上部へ移送された刈取り穀稈は、引継ぎされて、脱穀機１１内を挟持移送中に脱穀される。
【００１０】
請求項２に記載の発明においては、前記フィードチェン１２ａの回転速度は、走行装置３の走行車速が所定走行車速（Ｖ）以下では、一定の所定回転速度で回転駆動すると共に、所定走行車速（Ｖ）以上では、順次回転速度を高回転速度に変更制御する制御装置１５を設けたことを特徴とする請求項１に記載のコンバインの脱穀駆動装置としたものである。
【００１１】
前記刈取機４で刈取りした穀稈を、脱穀機１１のフィードチェン１２ａで引継ぎ脱穀機１１内を挟持移送中に脱穀する脱穀作業中のときには、フィードチェン１２ａの回転速度は、走行装置３の走行車速が所定走行車速（Ｖ）以下のときには、一定の所定回転速度に制御装置１５で制御されて、脱穀機１１内を挟持移送中に脱穀される。又、所定走行車速（Ｖ）以上のときには、フィードチェン１２ａの回転速度は、制御装置１５により、順次高回転速度に変更制御されて、脱穀機１１内を挟持移送中に脱穀される。
【００１２】
請求項３に記載の発明においては、前記刈取機４は、専用の刈取用油圧式無段変速装置９で回転駆動すると共に、走行車速変速用の主変速レバー１４ａの操作位置により、フィードチェン１２ａの回転速度を変速すべく設けたことを特徴とする請求項１、又は請求項２に記載のコンバインの脱穀駆動装置としたものである。
【００１３】
穀稈は刈取機４で刈取り移送され、この刈取り穀稈は、脱穀機１１のフィードチェン１２ａで引継ぎされて、脱穀機１１内を挟持移送中に脱穀される。穀稈を刈取機４で刈取り作業中は、この刈取機４の回転制御は、この刈取機４専用の刈取用油圧式無段変速装置９で回転制御されて、穀稈は刈取りされる。又、走行車速変速用の主変速レバー１４ａの操作が作業者により、所定位置へ操作されると、この操作位置により、走行装置３の走行車速が、走行用油圧式無段変速装置で変更制御され、刈取機４側から変速された変速回転が、フィードチェンケース１３内へ入力され、この入力された変速回転により、フィードチェン１２ａの回転速度が変速制御され、穀稈は変速回転制御された、このフィードチェン１２ａで脱穀機１１内を挟持移送中に脱穀される。又は、脱穀機１０側からフィードチェンケース１３内へ入力された一定回転で、フィードチェン１２ａが回転駆動され、挟持移送されて脱穀される。
【００１４】
【発明の効果】
請求項１に記載の発明においては、穀稈を刈取り移送する刈取機４を変速回転駆動する刈取用油圧式無段変速装置９を設けると共に、刈取機４から穀稈を引継ぎ挟持移送中に脱穀するフィードチェン１２ａを設けた脱穀機１１を設け、フィードチェン１２ａを回転駆動するフィードチェンケース１３への回転動力の入力は、脱穀機１１側から一定回転の動力と、刈取機４側から変速回転の動力が入力され、これら速い方の入力回転で、フィードチェン１２ａは、回転駆動される。又、フィードチェンケース１３は、脱穀機１１の入口側の穀稈を受けて案内する入口漏斗１１ａの下側へ設けたことにより、走行装置３の走行車速に連動して、フィードチェン１２ａの回転速度が制御されることにより、脱穀性能の向上を図ることが出来る。又、入口漏斗１１ａの下側へフィードチェンケース１３を設けたことにより、メンテナンスが容易である。更に藁屑、及び塵埃等の堆積を防止することができる。
【００１５】
請求項２に記載の発明においては、前記フィードチェン１２ａの回転速度は、走行車速が所定走行車速（Ｖ）以下では、一定の所定回転速度で回転駆動され、又、所定走行車速（Ｖ）以上では、順次回転速度は高回転速度に変更制御されることにより、走行装置３の走行車速に対応した回転速度に、フィードチェン１２ａが回転制御されることにより、脱穀機１１の脱穀性能、及び選別性能等の向上を図ることができる。
【００１６】
請求項３に記載の発明においては、前記刈取機４は、専用の刈取用油圧式無段変速装置９で回転駆動すると共に、走行車速変速用の主変速レバー１４ａの操作位置により、フィードチェン１２ａの回転速度が、変速される構成であり、主変速レバー１４ａの操作により、走行装置３の走行車速と、フィードチェン１２ａの回転速度との両者が、変更制御されることにより、操作が簡単であると共に、操作性の向上を図ることができる。
【００１７】
【発明の実施の形態】
以下、本発明の一実施例を図面に基づいて説明する。
コンバイン１の走行車台２の下側には、走行装置３を設けると共に、前方部には、穀稈を刈取り移送する刈取機４を設け、この刈取機４を変速回転駆動する専用の刈取用油圧式無段変速装置９を設けた構成である。刈取機４から刈取り穀稈を引継ぎするフィードチェン１２ａで挟持移送中に脱穀する脱穀機１１は、走行車台２の上側面へ載置して設けた構成である。フィードチェン１２ａを回転駆動するフィードチェン１３には、脱穀機１１側から一定回転の動力と、刈取機４側から変速回転の動力とが入力され、これら二系列の入力回転の速い方の入力回転で、フィードチェン１２ａは回転駆動される。フィードチェンケース１３は、脱穀機１１へ穀稈を受けて案内するこの脱穀機１１の入口側の入口漏斗１１ａの下側に設けた構成である。これら脱穀機１１のフィードチェン１２ａと、フィードチェンケース１３と、刈取機４、走行装置３、脱穀機１１の伝動機構を主に図示して説明する。
【００１８】
前記コンバイン１の走行車台２の下側には、図６で示す如く土壌面を走行する左右一対の走行クローラ３ａを張設した走行装置３を配設し、走行車台２の上側面には、扱胴１１ｂ、排塵処理胴１１ｃ、吸引ファン１１ｄ等を内装した脱穀機１１を載置した構成である。走行車台２の前方部に設けた刈取機４で立毛穀稈を刈取りし、この刈取り穀稈は、この刈取機４で後方上部へ移送され、脱穀機１１のフィードチェン１２ａと、挟持杆１２ｂとへ供給されて引継ぎされ、挟持移送されながら脱穀される。脱穀済みで選別済み穀粒は、脱穀機１１の右横側に配設した穀粒貯留タンク１７内へ一時貯留される。
【００１９】
前記走行車台２の前方部には、図６で示す如く前端位置から立毛穀稈を分離するナローガイド５ａ、及び分草体５ｂと、立毛穀稈を引起す各引起装置５ｃと、引起された穀稈を掻込みする穀稈掻込移送装置６の各掻込装置６ａと、掻込された穀稈を刈取りする刈刃装置５ｄと、刈取りされた穀稈を挟持移送して、脱穀機１１のフィードチェン１２ａと、挟持杆１２ｂとへ受渡しする穀稈掻込移送装置６の根元・穂先移送装置７ａ，７ｂと、移送終端部側の供給移送装置７ｃ等からなる刈取機４を設けている。該刈取機４は、油圧駆動による伸縮シリンダ１０により、土壌面に対して、昇降自在に移動する構成である。
【００２０】
前記刈取機４の前方下部から後方上部へ傾斜する支持杆８ａの上端部には、左右方向に支持パイプ杆８ｂを設け、この支持パイプ杆８ｂを走行車台２の上側面に設けた支持装置８ｃで回動自在に支持させて、伸縮シリンダ１０の作動により、刈取機４は支持パイプ杆８ｂを回動中心として、上下に回動する構成である。
【００２１】
前記刈取機４の穀稈掻込移送装置６によって形成される穀稈移送経路中には、刈取られて移送される穀稈に接触作用することにより、脱穀機１１へ穀稈の供給の有無を検出する穀稈センサ４ａを設けた構成である。
前記穀粒貯留タンク１７側の前部には、図６で示す如くコンバイン１を始動、停止、及び各部を調節等の操作を行う操作装置１４と、これら操作を行う作業者が搭乗する操縦席１６とは、操作室ケース１４ｃで形成した操作室１４ｄ内へ設け、この操縦席１６の下側で、走行車台２の上側面には、エンジン１８を載置すると共に、後方部には、穀粒貯留タンク１７を配設する。これら走行装置３と、刈取機４と、脱穀機１１と、エンジン１８等により、コンバイン１の機体１ａを形成した構成である。
【００２２】
前記走行車台２の前端部には、走行用のミッションケース１９内の伝動機構１９ａの伝動経路中には、その出力に基づいて、走行車速を検出するポテンションメータ方式の車速センサ１９ｂを設けた構成である。
前記刈取機４の回転速度の制御と、脱穀機１１のフィードチェン１２ａの回転速度の制御と、走行装置３の走行車速の制御とは、図１〜図５で示す如く行われる構成である。本発明に関するものを主に説明する。
【００２３】
前記走行装置３の回転駆動構成は、エンジン１８の回転動力が、図１、及び図６で示す如くこのエンジン１８のエンジン軸１８ａへ軸支したエンジンプーリ１８ｂと、ミッションケース１９の上側へ設けた油圧ポンプ２０ａと、油圧モータ２０ｂ等よりなる走行用油圧式無段変速装置２０の入力軸２０ｃへ軸支した油圧プーリ２０ｄとには、走行ベルト３ｂを掛け渡して、エンジン１８の回転動力が、走行用油圧式無段変速装置２０内へ入力される構成である。
【００２４】
前記走行用油圧式無段変速装置２０へ入力された入力回転動力は、操作装置１４に設けて走行車速を、設定、及び変更等のときに操作する主変速レバー１４ａの操作位置により、操作装置１４へ内装した制御装置１５により、走行用油圧式無段変速装置２０で操作位置に対応する所定の回転数に変更制御されて、ミッションケース１９の伝動機構１９ａの最終端部の左右両側に設けた走行車軸１９ｃへ軸支した各走行スプロケット１９ｄの回転数が変更制御され、この各スプロケット１９ｄへ掛け渡した各走行クローラ３ａの走行車速が、操作位置に対応する所定の走行車速に変更制御される構成である。
【００２５】
前記刈取機４の回転駆動構成は、エンジン１８の回転動力が、図１〜図３で示す如くこのエンジン１８のエンジン軸１８ａへ軸支したエンジン外プーリ１８ｃと、刈取伝動ケース２１の伝動機構２１ａの刈取入力軸２１ｂへ軸支した刈取入力プーリ２１ｃとには、刈取ベルト４ｂを掛け渡して、エンジン１８の回転動力が、刈取伝動ケース２１の伝動機構２１ａへ入力される構成である。この入力回転は、刈取伝動ケース２１の伝動機構２１ａの出力軸２１ｄへ軸支した出力プーリ２１ｅと、油圧ポンプ９ａと、油圧モータ９ｂ等よりなる刈取機４専用の刈取用油圧式無段変速装置９の入力軸９ｃへ軸支した刈取油圧プーリ９ｄとには、油圧ベルト９ｅを掛け渡して、入力回転を刈取用油圧式無段変速装置９内へ入力する構成である。
【００２６】
前記刈取用油圧式無段変速装置９へ入力された入力回転動力は、操作装置１４の主変速レバー１４ａの操作位置により、操作装置１４の制御装置１５により、刈取用油圧式無段変速装置９で操作位置に対応する所定の回転数に変更制御されて、刈取用油圧式無段変速装置９の油圧出力軸２２ａへ軸支した油圧出力プーリ２２ｂと、刈取機４の支持パイプ杆８ｂへ軸支内装した刈取入力軸１２ｄの入力プーリ１２ｅとには、刈取伝動ベルト４ｃを掛け渡して、この刈伝動軸１２ｄが所定の回転数に変更制御されて回転駆動する構成である。又、この回転は、支持杆８ａへ軸支内装した伝動軸１２ｆが、刈取伝動軸１２ｄと、伝動軸１２ｆとへ軸支した各ギャー２３ａ，２３ｂにより、所定の回転数で回転駆動され、刈取機４の各部の回転数が、主変速レバー１４ａの操作位置により、所定の回転数に変更制御されて、回転駆動される構成である。
【００２７】
前記主変速レバー１４ａの操作位置により、走行装置３の走行車速の変更制御と、刈取機４の回転速度の制御とは、同時に行われる構成であると共に、走行車速の変更制御に連動して、刈取機４の回転変更制御も行われる構成である。又、この刈取機４は、主変速レバー１４ａを「切」操作しても停止しない構成である。又、図６で示す刈取レバー１４ｂの「切」操作で刈取機４は停止制御される構成である。
【００２８】
前記脱穀機１１の回転駆動構成は、エンジン１８の回転動力が、図１〜図３で示す如くこのエンジン軸１８ａへ軸支したエンジンプーリ１８ｂと、脱穀機１０の選別風を起風する送風機２４の送風軸２４ａへ軸支した脱穀プーリ２４ｂとには、脱穀ベルト２４ｃを掛け渡して、送風軸２４ａへエンジン１８の回転動力が入力される構成である。送風軸２４ａにより、脱穀機１１の各部を回転駆動する構成である。
【００２９】
前記脱穀機１１のフィードチェン１２ａの回転駆動構成は、図１〜図３で示す如くこのフィードチェン１２ａを回転駆動するフィードチェン１３へ内装した伝動機構１３ａへの回転動力は、刈取機４側と、脱穀機１１側との二系列から入力される構成である。この入力されるに系列の入力回転の速い方の入力回転でフィードチェン１２ａは、回転駆動される構成である。
【００３０】
前記フィードチェン１２ａの回転駆動は、刈取機４側は、刈取入力軸１２ｄ先端部へ軸支した刈側出力プーリ２５ａと、フィードチェンケース１３の伝動機構１３ａの刈取入力軸１３ｂへ軸支したワンウェイクラッチを有する刈側入力プーリ１３ｃとには、刈側ベルト２５ｂを掛け渡して、刈取機４側の変速された変速回転の回転動力が入力される構成である。又、脱穀側は、送風軸２４ａの先端部へ軸支した脱側出力プーリ２６ａと、フィードチェンケース１３の伝動機構１３ａの脱側入力軸１３ｄへ軸支したワンウェイクラッチを有する脱側入力プーリ１３ｅとには、脱側ベルト２６ｂを掛け渡して、脱穀機１１側の一定回転の回転動力が入力される構成である。これら二系列の入力回転の内の速い方の入力回転動力が、フィードチェンケース１３の伝動機構１３ａへ入力されて、この伝動機構１３ａが回転駆動される構成である。
【００３１】
前記フィードチェンケース１３の伝動機構１３ａの出力軸２７には、駆動用スプロケット２７ａを軸支して設け、この駆動用スプロケット２７ａと、前・後スプロケット２７ｂ，２７ｃとには、フィードチェン１２ａを掛け渡して、刈取機４側、又は脱穀機１１側のいずれか速い方の入力回転で、このフィードチェン１２ａは回転駆動される構成である。
【００３２】
前記フィードチェンケース１３は、図２出示す如く脱穀機１１の入口側に設けて、穀稈を刈取機４から受けて、引継ぎ案内する入口漏斗１１ａの下側へ位置させて設け、落下する藁屑、及び塵埃等が、フィードチェンケース１３上への堆積を防止した構成である。
【００３３】
前記フィードチェン１２ａの回転駆動は、フィードチェンケース１３により、回転駆動されるが、このフィードチェンケース１３の伝動機構１３ａへの回転動力の入力は、刈取機４から変速された変速回転の回転動力と、脱穀機１１側から一定回転の回転動力との二系列で入力されるが、この二系列の入力回転の速い方の入力回転により、フィードチェン１２ａは回転駆動されると共に、フィードチェンケース１３は、脱穀機１１の入口側に設けて、穀稈を受けて、脱穀機１１内へ案内する入口漏斗１１ａの下側へ配設したことにより、脱穀性能の向上を図ることができる。又、下側へ配設したのでメンテナンスが容易である。更に藁屑、及び塵埃等の堆積を防止できることにより、各ベルト２５ｂ，２６ｂへ藁屑の巻き付きが防止できる。
【００３４】
図１、図４、及び図５で示す如く前記コンバイン１の走行装置３の走行車速は、ミッションケース１９へ内装した伝動機構１９ａの回転が、車速センサ１９ｂで検出されて、操作装置１４へ内装した制御装置１５へ入力されて、この入力値により、走行車速が検出される構成である。検出された走行車速が所定の走行車速（Ｖ）以下のときには、脱穀機１１のフィードチェン１２ａの回転速度の制御は、制御装置１５により、刈取用油圧式無段変速装置９で一定の所定回転速度で回転駆動されると共に、検出された走行車速が所定走行車速（Ｖ）以上のときには、順次このフィードチェン１２ａの回転速度は、制御装置１５により、刈取用油圧式無段変速装置９で順次高回転速度に変更制御される構成である。
【００３５】
前記フィードチェン１２ａの回転速度の制御は、コンバイン１の走行装置３の走行車速が、所定の走行車速（Ｖ）以下のときには、フィードチェン１２ａの回転速度は、制御装置１５により、一定の所定回転速度で回転駆動されると共に、所定走行車速（Ｖ）以上のときには、フィードチェン１２ａの回転速度は、順次高回転速度に変更制御されることにより、走行装置３の走行車速に対応した回転速度に、フィードチェン１２ａが回転駆動制御されることにより、脱穀機１１の脱穀性能、及び選別性能等の向上を図ることができる。
【００３６】
前記刈取機４の回転駆動制御は、前述で説明し、図１、図２、図３、及び図５で示す如くこの刈取機４専用の刈取用油圧式無段変速装置９で回転駆動すると共に、操作装置１４に設けた走行車速変速用の主変速レバー１４ａの操作位置により、刈取用油圧式無段変速装置９で脱穀機１１のフィードチェン１２ａの回転変速を制御装置１５により、変更制御する構成である。
【００３７】
前記刈取機４は、専用の刈取用油圧式無段変速装置９で回転駆動すると共に、走行車速変速用の主変速レバー１４ａの操作位置により、脱穀機１１のフィードチェン１２ａの回転速度が、変速回転制御されることにより、主変速レバー１４ａの操作により、走行装置３の走行車速と、フィードチェン１２ａの回転速度との両者が、変更制御されることにより、操作が簡単である。又、操作性の向上を図ることができる。
【００３８】
前記フィードチェンケース１３の伝動機構１３ａへ刈取機４側、脱穀機１１側より、回転動力を入力する。刈側入力軸１３ｂと、脱側入力プーリ１３ｅとへ個別に軸支する刈側入力プーリ１３ｃと、脱側入力プーリ１３ｅとには、図１〜図３で示す如く刈側ワンウェイクラッチ２８ａと、脱側ワンウェイクラッチ２８ｂとは、個別に設けた構成である。
【００３９】
これにより、前記刈側・脱側入力プーリ１３ｃ，１３ｅには、刈側・脱側ワンウェイクラッチ２８ａ，２８ｂを設けたことにより、これら刈側・脱側ワンウェイクラッチ２８ａ，２８ｂの点検、及び補修のときには、これらが装着された刈側・脱側入力プーリ１３ｃ，１３ｅを取り外すだけでよく、メンテナンスが容易である。
【００４０】
前記送風機２４の送風軸２４ａへ軸支した脱側出力プーリ２６ａと、フィードチェンケース１３の脱側入力プーリ１３ｅとに、掛け渡した脱側ベルト２６ｂには、この脱側ベルト２６の回転駆動を「入」−「切」して、脱穀機１１側からの回転動力を「入」−「切」して、フィードチェン１２ａの回転を「始動」―「停止」するチェンテンションクラッチ装置２９を、図１で示す如く回動自在に設けた構成である。このチェンテンションクラッチ装置２９には、ワイヤー２９ａを設けて、操作する構成である。
【００４１】
これにより、前記チェンテンションクラッチ装置２９用のワイヤー２９ａの全長を短くすることができて、応答性、及び耐久性の向上を図ることができる。
前記フィードチェンケース１３の刈側・脱側入力軸１３ｂ，１３ｄの反対側には、図１で示す如く出力軸２７を設け、この出力軸２７へ軸支した駆動用スプロケット２７ａにより、フィードチェン１２ａを回転駆動する構成である。
【００４２】
これにより、前記脱穀機１１の前方部に、カウンタ軸等を設ける必要がなく、フィードチェン１２ａの駆動部を機体１ａの左側へ集約することができて、メンテナンスが容易である。
前記フィードチェンケース１３は、コンバイン１の機体１ａの左側に、図１で示す如く刈側・脱側入力プーリ１３ｃ，１３ｅを軸支すると共に、刈側・脱側ワンウェイクラッチ２８ａ，２８ｂと、駆動用スプロケット２７ａ等とを設けた構成である。
【００４３】
これにより、前記コンバイン１の機体１ａの左側より、フィードチェン１２ａを回転駆動するフィードチェンケース１３等を設けたことにより、このフィードチェンケース１３のメンテナンスが容易である。
前記フィードチェンケース１３の出力軸２７へ軸支した駆動スプロケット２７ａのラインから内側に、図１で示す如く刈側・脱側入力プーリ１３ｃ，１３ｅを設けると共に、これら刈側・脱側入力プーリ１３ｃ，１３ｅは、前後方向に所定の間隔を設けて配設し、重合状態にならないように設けた構成である。
【００４４】
これにより、前記フィードチェンケース１３は、コンパクトになる。又、刈側・脱側入力プーリ１３ｃ，１３ｅへ個別に掛け渡した刈側・脱側ベルト２５ｂ，２６ｂの取り外しが容易である。
前記穀粒貯留タンク１７内に貯留した穀粒を機外へ排出するこの穀粒貯留タンク１７の後側には、縦移送螺旋３０ａを内装した排出支持筒３０を略垂直姿勢で旋回自在に装着して設け、この排出支持筒３０の上端部には、その全長がコンバイン１の前後長に亘る機外へ穀粒を排出する排出螺旋３１ａを伸縮自在に内装した排出オーガ３１を伸縮自在、上下回動自在、及び左右旋回自在に前後方向に配設した構成である。
【図面の簡単な説明】
【図１】コンバインの全体伝動機構図
【図２】フィードチェンケース部の拡大側面伝動機構図
【図３】フィードチェンケース部の拡大側面伝動機構図
【図４】フィードチェンの回転速度と走行装置の走行車速との関係図
【図５】ブロック図
【図６】コンバイン左側の全体側面図
【符号の説明】
２      走行車台
３      走行装置
４      刈取機
９      刈取用油圧式無段変速装置
１１      脱穀機
１１ａ    入口漏斗
１２ａ    フィードチェン
１３      フィードチェンケース
１４ａ    主変速レバー
１５      制御装置
Ｖ      所定走行車速
【図１】
2004321049.tif 000003
【図２】
2004321049.tif 000004
【図３】
2004321049.tif 000005
【図４】
2004321049.tif 000006
【図５】
2004321049.tif 000007
【図６】
2004321049.tif 000008